(57)【要約】【課題】高周波信号を直流電力に変換する変換効率の入力電力依存性を低減した整流器を提供する。【解決手段】入力される高周波信号を分配する電力分配回路と、分配回路と出力端子との間に並列に配置された複数の整流回路とを有し、電力分配回路に入力される高周波信号の入力電力に応じて、動作させる整流回路を高周波信号の入力電力に対してシーケンシャルに切り替えて、複数の整流回路の内の１つの整流回路を動作させ電力分配回路からの高周波信号を直流電力に変換する。【選択図】図１
2017034927.tif 000002
【特許請求の範囲】
【請求項１】
入力される高周波信号を分配する分配回路と、
前記分配回路と前記高周波信号に基づく直流電力を負荷に供給する出力端子との間に並列に配置された複数の整流回路とを有し、
前記複数の整流回路は、前記分配回路に入力される前記高周波信号の入力電力が所定の電力値より低い場合、前記分配回路に入力される前記高周波信号の入力電力に応じて、動作する前記整流回路が前記入力電力に対して連続して切り替わり、前記複数の整流回路の内の１つの整流回路が動作して前記分配回路からの前記高周波信号を前記直流電力に変換することを特徴とする整流器。
【請求項２】
前記複数の整流回路は、前記分配回路に入力される前記高周波信号の入力電力が前記所定の電力値より高い場合、前記複数の整流回路が同時に動作して前記分配回路からの前記高周波信号を前記直流電力に変換することを特徴とする請求項１記載の整流器。
【請求項３】
前記分配回路と前記整流回路とをインピーダンス整合させることによって、前記複数の整流回路の内で動作させる前記整流回路を切り替えることを特徴とする請求項１又は２記載の整流器。
【請求項４】
入力される高周波信号を分配する分配回路と、
前記分配回路と前記高周波信号に基づく直流電力を負荷に供給する出力端子との間に配置され、前記分配回路に入力される前記高周波信号の入力電力が第１の電力値より低い場合に動作して前記分配回路からの前記高周波信号を前記直流電力に変換する第１の整流回路と、
前記分配回路と前記出力端子との間に前記第１の整流回路と並列に配置され、前記分配回路に入力される前記高周波信号の入力電力が前記第１の電力値と前記第１の電力値より高い第２の電力値との間である場合に動作して前記分配回路からの前記高周波信号を前記直流電力に変換する第２の整流回路とを有することを特徴とする整流器。
【請求項５】
前記分配回路に入力される前記高周波信号の入力電力が前記第２の電力値より高い場合、前記第１の整流回路及び前記第２の整流回路が同時に動作して前記分配回路からの前記高周波信号を前記直流電力に変換することを特徴とする請求項４記載の整流器。
【請求項６】
前記分配回路は、前記高周波信号が入力される第１端子と前記第２の整流回路が接続される第２端子とが線路を介して接続され、前記第２端子と前記第１の整流回路が接続される第３端子とが線路を介して接続され、前記第３端子と接地された第４端子とが線路を介して接続され、前記第４端子と前記第１端子とが線路を介して接続されていることを特徴とする請求項４又は５記載の整流器。
【請求項７】
前記分配回路の前記第４端子は、可変抵抗を介して接地されていることを特徴とする請求項６記載の整流器。
【発明の詳細な説明】
【技術分野】
【０００１】
本発明は、高周波信号を直流電力に変換する整流器に関する。
【背景技術】
【０００２】
無線電力伝送技術は、携帯電話やＲＦＩＤ（Radio Frequency IDentification）への電力伝送技術として実用化、商品化が進展しており、電気自動車、体内埋込医療機器、無線センサネットワーク、無線ヘルスモニタリング等への応用が期待される。無線電力伝送の方式には、電磁誘導方式、磁気共鳴方式、及び電波方式等がある。電波方式の無線電力伝送としては、例えばマイクロ波を用いて電力を伝送するマイクロ波無線電力伝送がある。
【０００３】
図８は、マイクロ波無線電力伝送システムの例を示す図である。送信機８１０が、送信回路８１１から出力された送信信号（搬送波）ＣＷに応じた電波（マイクロ波）をアンテナ８１２から送信する。受信機８２０が、アンテナ８２１で電波（マイクロ波）を受信し、受信した電波に応じた高周波（ＲＦ：Radio Frequency）信号を整流器８２２で直流（ＤＣ：Direct Current）電力に変換して負荷８２３へ電力を供給する。
【０００４】
無線電力伝送システムでは、受信機側の高周波信号を直流電力に変換する整流器の性能向上がシステム性能全体の向上にとって重要である。整流器は、整流素子として主にダイオードを用いて構成されるため、その性能（高周波信号を直流電力に変換するＲＦ−ＤＣ変換効率）は入力電力に大きく依存する。
【０００５】
ダイオードの直流電圧（出力電圧）は、ダイオードに印加される電圧（入力電力）がダイオードの閾値電圧（Ｖｔｈ）を超えると生じ、印加される電圧が増加するに従って増加する。ダイオードにブレークダウン電圧を超えるような電圧が印加されるとダイオードに逆方向電流が流れてしまうため、出力電圧は低下する。また、ダイオードの非線形性により生じる高調波によっても出力電圧は低下する。すなわち、整流器の変換効率の入力電力依存性は、ある入力電力値で変換効率の最大値を持つ特性となる。
【０００６】
マイクロ波無線電力伝送システムのような電波方式の無線電力伝送システムにおいて、高周波信号を直流電力に変換する整流器として、ドハティ増幅回路を応用したドハティ型の整流器が提案されている（例えば、非特許文献１参照）。ドハティ型の整流器は、スイッチングデバイスを使用しないために、回路規模が大きくならず外部電源も不必要であるが、一方で整流素子としてのダイオードの選定が困難であった。
【先行技術文献】
【非特許文献】
【０００７】
【非特許文献１】H. Sakaki et al.,“A Novel Wide Dynamic Range Rectifier Design For Wireless Power Transfer System”, 2014APMC Proc., pp.1208-1210, Nov. 2014
【発明の概要】
【発明が解決しようとする課題】
【０００８】
前述したように整流器のＲＦ−ＤＣ変換効率は入力電力に依存する。したがって、無線電力伝送システムでは、送信機と受信機の間の位置ずれや不整合等による入力電力の変動により入力電力が設計点とずれると特性が大きく劣化し、整流器の性能が安定しないという課題がある。また、電力伝送と同時に情報を伝送する無線電力情報同時伝送システムでは、変調信号の伝送により受信機側の整流器への入力電力が一定ではなく変動するため、この場合も整流器の性能が低下してしまう。本発明の目的は、高周波信号を直流電力に変換する変換効率の入力電力依存性を低減した整流器を提供することにある。
【課題を解決するための手段】
【０００９】
本発明に係る整流器は、入力される高周波信号を分配する分配回路と、前記分配回路と前記高周波信号に基づく直流電力を負荷に供給する出力端子との間に並列に配置された複数の整流回路とを有し、前記複数の整流回路は、前記分配回路に入力される前記高周波信号の入力電力が所定の電力値より低い場合、前記分配回路に入力される前記高周波信号の入力電力に応じて、動作する前記整流回路が前記入力電力に対して連続して切り替わり、前記複数の整流回路の内の１つの整流回路が動作して前記分配回路からの前記高周波信号を前記直流電力に変換することを特徴とする。
【発明の効果】
【００１０】
本発明によれば、入力される高周波信号の入力電力に応じて、動作する整流回路が入力電力に対して連続して切り替わって高周波信号を直流電力に変換することにより、入力電力に応じて変換効率が低下することを抑制でき、変換効率の入力電力依存性を低減した整流器を提供することが可能となる。
【図面の簡単な説明】
【００１１】
【図１】本実施形態における整流器の構成例を示す図である。
【図２】本実施形態における整流器の構成例を示す図である。
【図３】本実施形態における電力分配回路の反射係数を示す図である。
【図４】本実施形態における整流回路の反射係数を示す図である。
【図５】本実施形態における整流回路への電力分配を説明するための図である。
【図６】本実施形態における整流器の動作特性を示す図である。
【図７】本実施形態における電力分配回路の第４端子経路の他の例を示す図である。
【図８】無線電力伝送システムの例を示す図である。
【発明を実施するための形態】
【００１２】
以下、本発明の実施形態を図面に基づいて説明する。
【００１３】
図１は、本発明の一実施形態における整流器の構成例を示す図である。本実施形態における整流器は、図１（Ａ）に示すように、電力分配回路１０及び複数の整流回路２０−ｉを有する。なお、ｉは添え字であり、ｉ＝１〜ｎの自然数（ｎは２以上の任意の自然数）である。本実施形態における整流器は、例えば図８に示したような無線電力伝送システムにおいて受信機８２０が有する整流器８２２に対応し、受信した電波による高周波（ＲＦ）信号を直流（ＤＣ）電力に変換し、その直流電力を負荷回路等の負荷へ供給する。
【００１４】
電力分配回路１０は、入力端子ＩＮに入力される高周波信号を、入力電力に応じた分配比で分配して第１〜第ｎの整流回路２０−１〜２０−ｎに出力する。なお、本実施形態の説明では、高周波信号は一例としてマイクロ波の周波数帯の信号とするが、本発明はこれに限定されるものではなく、他の周波数帯の電波に応じた高周波信号であっても良い。第１〜第ｎの整流回路２０−１〜２０−ｎは、電力分配回路１０と出力端子ＯＵＴとの間に並列に配置される。第１〜第ｎの整流回路２０−１〜２０−ｎの各々は、電力分配回路１０によって分配される高周波信号を直流電力に変換し、出力端子ＯＵＴを介して負荷３０へ電力を供給する。
【００１５】
ここで、第１〜第ｎの整流回路２０−１〜２０−ｎは、入力端子ＩＮに入力される高周波信号の入力電力に応じてシーケンシャルに動作するように構成されている。例えば、図１（Ｂ）に示した入力電力が低い領域ＰＲ１では、第１〜第ｎの整流回路２０−１〜２０−ｎの内の第１の整流回路２０−１と電力分配回路１０とがインピーダンス整合し、電力分配回路１０に入力された高周波信号の入力電力が第１の整流回路２０−１に入力されて直流電力に変換される。
【００１６】
また、例えば、領域ＰＲ１に連続している、領域ＰＲ１よりも入力電力が高い領域ＰＲ２では、第１〜第ｎの整流回路２０−１〜２０−ｎの内の第２の整流回路２０−２と電力分配回路１０とがインピーダンス整合し、電力分配回路１０に入力された高周波信号の入力電力が第２の整流回路２０−２に入力されて直流電力に変換される。同様に、領域ＰＲ２に連続している、領域ＰＲ２よりも入力電力が高い領域では、第１〜第ｎの整流回路２０−１〜２０−ｎの内の第３の整流回路２０−３と電力分配回路１０とがインピーダンス整合し、電力分配回路１０に入力された高周波信号の入力電力が第３の整流回路２０−３に入力されて直流電力に変換される。
【００１７】
以下同様に、動作する整流回路が入力端子ＩＮに入力される高周波信号の入力電力に対して連続して切り替わり、高周波信号の入力電力に応じて第１〜第ｎの整流回路２０−１〜２０−ｎの内の１つの整流回路２０−ｉが動作することで、入力電力に応じて第１〜第ｎの整流回路２０−１〜２０−ｎをシーケンシャルに動作させる。そして、例えば、入力電力が高い領域ＰＲ３では、第１〜第ｎの整流回路２０−１〜２０−ｎの内の第ｎの整流回路２０−ｎと電力分配回路１０とがインピーダンス整合し、電力分配回路１０に入力された高周波信号の入力電力が第ｎの整流回路２０−ｎに入力されて直流電力に変換される。
【００１８】
このように本実施形態では、電力分配回路１０と第１〜第ｎの整流回路２０−１〜２０−ｎとのインピーダンス整合を利用して、入力された高周波信号の入力電力が電力分配回路１０から第１〜第ｎの整流回路２０−１〜２０−ｎへ供給される経路の切り替えを行う。これにより、高周波信号から直流電力への変換に使用する整流回路を、入力された高周波信号の入力電力に応じて第１〜第ｎの整流回路２０−１〜２０−ｎの間でシーケンシャルに切り替えて適切な整流回路２０−ｉで整流を行い、入力電力に応じてＲＦ−ＤＣ変換効率が低下することを抑制することが可能となる。したがって、高周波信号を直流電力に変換する変換効率の入力電力依存性を低減し、高変換効率で、かつ広ダイナミックレンジの整流器を実現することができる。
【００１９】
なお、入力端子ＩＮに入力される高周波信号の入力電力が、入力電力が最も高い領域に対応する整流回路２０−ｉの整合条件を外れた際には（一例として第ｎの整流回路２０−ｎが最も高い電力に対応しているとしたときの領域ＰＲ４では）、例えば第１〜第ｎの整流回路２０−１〜２０−ｎを同時に動作させて高周波信号を直流電力に変換させるようにすれば良い。これにより、整流器におけるＲＦ−ＤＣ変換効率の低下を防止することができる。
【００２０】
図２は、本実施形態における整流器の構成例を示す図である。図２には、整流器が有する複数の整流回路２０−ｉとして、高入力用と低入力用との２つの整流回路を有する例を示している。図２に示す整流器は、電力分配回路１０、高入力用整流回路２０−Ａ、及び低入力用整流回路２０−Ｂを有する。
【００２１】
電力分配回路１０は、第１端子ＩＮ（ＴＭ１）と第２端子ＴＭ２との間の線路１１、第２端子ＴＭ２と第３端子ＴＭ３との間の線路１２、第３端子ＴＭ３と第４端子ＴＭ４との間の線路１３、及び第４端子ＴＭ４と第１端子ＩＮ（ＴＭ１）との間の線路１４の４つの線路１１〜１４を有するブランチラインカプラ回路である。電力分配回路１０は、入力端子としての第１端子ＩＮ（ＴＭ１）に入力される高周波信号を分配し、出力端子としての第２端子ＴＭ２、第３端子ＴＭ３より出力する。出力端子としての第２端子ＴＭ２には、高入力用整流回路２０−Ａが接続され、出力端子としての第３端子ＴＭ３には、低入力用整流回路２０−Ｂが接続されている。第４端子ＴＭ４は、接地されている（基準電位に接続されている）。
【００２２】
高入力用整流回路２０−Ａは、整流器に入力される高周波信号の入力電力が高いとき（高入力時、例えば第１の電力値と第１の電力値より高い第２の電力値との間）に電力分配回路１０とインピーダンス整合して動作する整流回路である。高入力用整流回路２０−Ａは、コンデンサ２１−Ａ、線路２２−Ａ、インダクタ２３−Ａ、ダイオード２４−Ａ、線路２５−Ａ、及びコンデンサ２６−Ａを有する。コンデンサ２１−Ａは、一方の電極が電力分配回路１０の第２端子ＴＭ２に接続され、他方の電極が線路２２−Ａの一端に接続される。線路２２−Ａは、他端がインダクタ２３−Ａの一端に接続される。
【００２３】
コンデンサ２１−Ａは、高周波信号から変換された直流電力が入力側（第２端子ＴＭ２）に出力されることを防止する直流遮断用のコンデンサである。線路２２−Ａ及びインダクタ２３−Ａは、入力フィルタ部、整流部、及び出力フィルタ部を有するレクテナの整流回路部での入力フィルタ部に対応する。線路２２−Ａ及びインダクタ２３−Ａは、入力される高周波信号の基本波を通過させ、ダイオード２４−Ａで発生した高調波を遮断する低域通過フィルタとして機能し、図示しないアンテナから高調波が再放射されることを防止している。
【００２４】
ダイオード２４−Ａは、アノードが接地され、カソードがインダクタ２３−Ａの他端、言い換えれば入力フィルタ部の出力端に接続される。ダイオード２４−Ａは、入力フィルタ部、整流部、及び出力フィルタ部を有するレクテナの整流回路部での整流部に対応し、線路２２−Ａ及びインダクタ２３−Ａからなる入力フィルタ部を通過した高周波信号を整流する。
【００２５】
線路２５−Ａは、高周波信号の基本波の波長の４分の１の長さに対応する電気長の線路であり、一端がダイオード２４−Ａのカソードに接続され、他端が出力端子及び線路３１〜３３を介して負荷３０に接続される。コンデンサ２６−Ａは、一方の電極が線路２５−Ａの他端に接続され、他方の電極が接地されている。線路２５−Ａ及びコンデンサ２６−Ａは、入力フィルタ部、整流部、及び出力フィルタ部を有するレクテナの整流回路部での出力フィルタ部に対応する。線路２５−Ａ及びコンデンサ２６−Ａは、整流部としてのダイオード２４−Ａで整流された高周波信号を直流電力に変換して出力するともに、高周波信号の基本波及びダイオード２４−Ａで発生した高調波を遮断し直流電力の出力側に放射されることを防止している。
【００２６】
低入力用整流回路２０−Ｂは、整流器に入力される高周波信号の入力電力が低いとき（低入力時、例えば第１の電力値より低いとき）に電力分配回路１０とインピーダンス整合して動作する整流回路である。低入力用整流回路２０−Ｂは、コンデンサ２１−Ｂ、線路２２−Ｂ、インダクタ２３−Ｂ、ダイオード２４−Ｂ、線路２５−Ｂ、及びコンデンサ２６−Ｂを有する。低入力用整流回路２０−Ｂの構成及び動作・機能は、高入力用整流回路２０−Ａと同様である（添え字Ａを添え字Ｂに読み替えれば良い）ので説明は省略する。高入力用整流回路２０−Ａ及び低入力用整流回路２０−Ｂから出力される直流電力は、線路３１〜３３を介して負荷３０へ供給される。
【００２７】
本実施形態における整流器では、高入力時（例えば第１の電力値と第２の電力値の間）に電力分配回路１０とインピーダンス整合して動作する高入力用整流回路２０−Ａ、及び低入力時（例えば第１の電力値より低いとき）に電力分配回路１０とインピーダンス整合して動作する低入力用整流回路２０−Ｂを並列に配置する。そして、前述したように電力分配回路１０と整流回路２０−Ａ、２０−Ｂとのインピーダンス整合を利用して、高周波信号を直流電力に変換する際に使用する整流回路を切り替え、入力される高周波信号の入力電力に応じて整流回路２０−Ａ、２０−Ｂをシーケンシャルに動作させる。また、入力される高周波信号の入力電力が高入力用整流回路２０−Ａの整合条件を外れた際には（例えば入力電力が第２の電力値より高いとき）、整流回路２０−Ａ、２０−Ｂを同時に動作させることでＲＦ−ＤＣ変換効率が低下することを防止する。
【００２８】
このように電力分配回路１０と整流回路２０−Ａ、２０−Ｂとのインピーダンス整合を利用して高周波信号の入力電力が出力される経路の切り替えを行うため、本実施形態では、電力分配回路１０の第４端子ＴＭ４を接地することで、第２端子ＴＭ２と第３端子ＴＭ３との間の出力インピーダンス差を大きくしている。例えば、電力分配回路１０は、図３にシミュレーション結果を示すように、マイクロ波の周波数帯である２．４５ＧＨｚにおいて、第１端子ＩＮ（ＴＭ１）の入力インピーダンス（特性インピーダンス）が５０Ω（３０２）であるとき、第２端子ＴＭ２の出力インピーダンスが１６．６５Ω（３０３）、第３端子ＴＭ３の出力インピーダンスが１５０Ω（３０１）となる。そこで、本実施形態では、図２に示したように、電力分配回路１０の第２端子ＴＭ２に低インピーダンスで高効率になる高入力用整流回路２０−Ａを接続し、電力分配回路１０の第３端子ＴＭ３に高インピーダンスで高効率になる低入力用整流回路２０−Ｂを接続する。
【００２９】
図４（Ａ）及び図４（Ｂ）に、入力される高周波信号の周波数が２．４５ＧＨｚであるときの電力分配回路１０の第３端子ＴＭ３から低入力用整流回路２０−Ｂを見た反射係数、及び第２端子ＴＭ２から高入力用整流回路２０−Ａを見た反射係数のシミュレーション結果をそれぞれ示す。
【００３０】
図４（Ａ）において、４０１が低入力時の（例えば−１３ｄＢｍ〜−５ｄＢｍでの）反射係数を示し、４０２が高入力時の（例えば−４ｄＢｍ〜８ｄＢｍでの）反射係数を示し、４０３がそれ以上の入力電力での（例えば９ｄＢｍ〜２０ｄＢｍでの）反射係数を示している。低入力時には、低入力用整流回路２０−Ｂの反射係数が、電力分配回路１０の出力インピーダンス付近に位置しており、整合点（中心）付近に集中していることがわかる。
【００３１】
また、図４（Ｂ）において、４１１が低入力時の（例えば−１５ｄＢｍ〜−６ｄＢｍでの）反射係数を示し、４１２が高入力時の（例えば−４ｄＢｍ〜８ｄＢｍでの）反射係数を示し、４１３がそれ以上の入力電力での（例えば９ｄＢｍ〜２０ｄＢｍでの）反射係数を示している。高入力時には、高入力用整流回路２０−Ａの反射係数が、電力分配回路１０の出力インピーダンス付近に位置しており、整合点（中心）付近に集中していることがわかる。
【００３２】
したがって、電力分配回路１０への入力電力の高入力用整流回路２０−Ａ及び低入力用整流回路２０−Ｂへの分配は、図５（Ａ）及び図５（Ｂ）に示すようになる。図５（Ａ）及び図５（Ｂ）において、５０１は電力分配回路１０への入力電力を示し、５０２は低入力用整流回路２０−Ｂへの入力電力を示し、５０３は高入力用整流回路２０−Ａへの入力電力を示している。なお、図５（Ｂ）は、図５（Ａ）における破線枠の部分を拡大して示した図である。
【００３３】
図５（Ｂ）に示すように、整流器に入力される高周波信号の入力電力が低いとき（低入力時）には、電力分配回路１０への入力電力が低入力用整流回路２０−Ｂへ流入し、整流器に入力される高周波信号の入力電力が高いとき（高入力時）には、電力分配回路１０への入力電力が高入力用整流回路２０−Ａへ流入する。整流器に入力される高周波信号の入力電力がさらに高いときには、図５（Ａ）に示すように、電力分配回路１０への入力電力が高入力用整流回路２０−Ａ及び低入力用整流回路２０−Ｂへ流入する。
【００３４】
図３〜図５に示したシミュレーション結果から、図２に示した本実施形態における整流器では、高入力用整流回路２０−Ａ及び低入力用整流回路２０−Ｂが、整流器に入力される高周波信号の入力電力に応じてシーケンシャルに動作していることがわかる。図６に示すように、入力電力が低い領域ＰＲ６１では、特性６０２に示されるように低入力用整流回路２０−Ｂが動作し、入力電力が高い領域ＰＲ６２では、特性６０３に示されるように高入力用整流回路２０−Ａが動作し、入力電力がさらに高い領域ＰＲ６３では、高入力用整流回路２０−Ａ及び低入力用整流回路２０−Ｂが動作する。
【００３５】
これにより、図２に示した本実施形態における整流器は、特性６０１に示されるように幅広い入力電力範囲で良好なＲＦ−ＤＣ変換効率を示し、変換効率が５０％以上の電力範囲を示すダイナミックレンジも広い。したがって、高周波信号を直流電力に変換するＲＦ−ＤＣ変換効率の入力電力依存性を低減し、高効率かつ広ダイナミックレンジの整流器を実現することができる。
【００３６】
なお、図２に示した整流器では、電力分配回路１０の第４端子ＴＭ４を接地するようにしているが、例えば図７に示すように可変抵抗７０１を介して電力分配回路１０の第４端子ＴＭ４を接地するようにしても良い。この場合には、可変抵抗７０１の抵抗値を制御することで、電力分配回路１０の第２端子ＴＭ２及び第３端子ＴＭ３の出力インピーダンスを制御することが可能となる。また、本実施形態における整流器が有する整流回路の構成は、前述したものに限定されず、倍電圧整流回路やブリッジ整流回路等の他の整流回路を適用しても良い。
【００３７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【産業上の利用可能性】
【００３８】
前述した整流器は、携帯電話等の小型電気機器やＲＦＩＤをはじめ、無線電力伝送技術を適用した体内埋込型医療機器、バッテリレス無線センサネットワーク、ドローン等に代表される移動体用ＬＳＩ、電気自動車、宇宙太陽光発電等に適用可能である。また、移動体通信基地局における送信信号エネルギーの回収技術においても適用することができる。
【符号の説明】
【００３９】
１０  電力分配回路
２０−１〜２０−ｎ  整流回路
２０−Ａ  高入力用整流回路
２０−Ｂ  低入力用整流回路
３０  負荷
ＩＮ  整流器入力端子
ＯＵＴ  整流器出力端子
【図１】
2017034927.tif 000003
【図２】
2017034927.tif 000004
【図３】
2017034927.tif 000005
【図４】
2017034927.tif 000006
【図５】
2017034927.tif 000007
【図６】
2017034927.tif 000008
【図７】
2017034927.tif 000009
【図８】
2017034927.tif 000010